(57)【要約】      （修正有）【課題】油分を油脂分解剤で分解させて廃液とともに外部に排出して、油脂、汚泥の分解装置内で油分が廃液面上に積層して溜まるのを防ぐことのできる油脂、汚泥の分解装置を提供する。【解決手段】厨房等から排出される廃液中に含まれる油分と油脂分解剤とを攪拌混合させて油分を分解させる撹拌装置２１を設け、油分と油脂分解剤とを撹拌装置で攪拌混合させて、油分を油脂分解剤で分解させて廃液とともに外部に排出して、油脂、汚泥の分解装置内で油分が廃液面上に積層して溜まるのを防ぐようにした油脂、汚泥の分解装置１１であって、撹拌装置の駆動源が水中モータ２３であって、かつ水中モータに取り付けた撹拌用プロペラ２２を油脂、汚泥の分解装置内に配設した筒状カバー１５内に上昇流を生起させるようにして取り付けた。【選択図】図１
0003230470.tif 000002
【実用新案登録請求の範囲】
【請求項１】
厨房等から排出される廃液中に含まれる油分を分離滞留させて、油分がそのまま外部に排出されるのを防ぐために排水路の途中に設けられた油脂、汚泥の分解装置であり、油分と油脂分解剤とを攪拌混合させて油分を分解させる撹拌装置を設け、油脂、汚泥の分解装置に分離滞留する油分と油脂分解剤とを撹拌装置で攪拌混合させて、油分を油脂分解剤で分解させて廃液とともに外部に排出して、油脂、汚泥の分解装置内で油分が廃液面上に積層して溜まるのを防ぐようにした油脂、汚泥の分解装置であり、
前記撹拌装置の駆動源が水中モータであって、かつ水中モータに取り付けた撹拌用プロペラを油脂、汚泥の分解装置内に配設した筒状カバー内に上昇流を生起させるようにして取り付けたことを特徴とする油脂、汚泥の分解装置。
【請求項２】
前記水中モータが、廃液中に完全に水没する高さに設置されており、その上で前記水中モータに取り付けた撹拌用プロペラが油脂、汚泥の分解装置内に配設した筒状カバー内に上昇流を生起させるようにしたことを特徴とする請求項１に記載の油脂、汚泥の分解装置。
【請求項３】
前記筒状カバーが水中モータの周囲に取り付けられており、前記水中モータの下部において撹拌用プロペラの回転により廃液を強く旋回させるとともに、上昇流を生起させるようにしたことをも特徴とする請求項１または２に記載の油脂、汚泥の分解装置。
【考案の詳細な説明】
【技術分野】
【０００１】
この考案は、厨房等から排水される廃液中に含まれる油分を分離滞留させて、油分がそのまま外部に排出されるのを防ぐために排水路の途中に設けられた油脂、汚泥の分解装置（グリストラップ）に関するものであり、油脂、汚泥の分解装置において分離滞留する油分と油脂分解剤とを撹拌装置で攪拌混合させ、油分を油脂分解剤で分解させて廃液とともに外部に排出して、油脂、汚泥の分解装置内で油分が廃液面上に積層して溜まるのを防ぐようにした油脂、汚泥の分解装置に関するものである。
すなわち、グリストラップ内の油脂、汚泥は産業廃棄物であり、このような産業廃棄物を出さないシステムを提供しようとするものである。
【背景技術】
【０００２】
従来、厨房等から排水される廃液中に含まれる油分を分離滞留させて、油分がそのまま外部に排出されるのを防ぐために、排水路の途中にはグリストラップが一般に設けられている。
厨房等から排出される油分を含む廃液は、排水路を流れグリストラップ内に流入し、グリストラップ内の流入口側に設けられたバスケットで廃液中に含まれる粗ゴミが瀘過されてグリストラップ内に一時的に滞留する。その際、グリストラップ内における滞留中に廃液中に含まれる油分は浮遊して廃液面上に浮いて分離する。そして、油分が分離した廃液は流入口の向かい側のグリストラップの下部側に設けられた流出部から外部に排出されており、グリストラップでは廃液中に含まれる油分がそのまま外部に排出されるのを防ぐ機能を果たしている。
【０００３】
しかしながら、グリストラップ内で分離滞留した油分は、廃液面上に除々に積層されて溜まってしまう。そして、油分が廃液面上に積層されて溜まってくると、グリストラップに向けてゴキブリやねずみ等が集まってくるため、グリストラップは不潔となり非衛生的となる。しかも、グリストラップからは溜まった油分の腐敗によって悪臭も発生する。
【０００４】
さらに、グリストラップ内で油分が廃液面上に積層して溜まってくると、後からグリストラップ内に流入する油分を含む廃液はその廃液中の油分が浮遊して廃液面上に上昇分離することができなくなり、廃液は油分を含んだ状態でグリストラップの下部側の流出部から外部にそのまま排出されて、環境汚染の一因になっている。
【０００５】
また、グリストラップ内に溜まった油分は、資金的に余裕のある店舗などでは半年または１年に１回程度、バキュームを使って吸い取っているが、この作業にはコストがかかり、またグリストラップの設置場所によってはバキュームのホースが届かずにバキュームで吸い取ることが困難なこともある。
【０００６】
さらにまた、店舗によってはグリストラップの内部の清掃を従業員等が行っているが、油分が溜まったグリストラップ内は非常に汚くて不潔であるため、グリストラップの清掃を嫌って従業員がやめるケースがあった。その際のやめた従業員の補充が大変であり、また従業員募集のコストもかかるなどの不都合があった。
【先行技術文献】
【特許文献】
【０００７】
【特許文献１】実用新案登録第３０７４６８３号公報
【特許文献２】実用新案登録第３１０２３８５号公報
【考案の概要】
【考案が解決しようとする課題】
【０００８】
この考案は、上記のような課題に鑑み、その課題を解決すべく創案されたものであって、その目的とするところは、グリストラップ等の油脂、汚泥の分解装置に分離滞留する油分と油脂分解剤とを、油脂、汚泥の分解装置内に設けた撹拌装置により攪拌混合させて、油分を油脂分解剤で分解させて廃液とともに外部に排出して、油脂、汚泥の分解装置内で油分が廃液面上に積層して溜まるのを防ぐことのできる新規な構造を備えた油脂、汚泥の分解装置を提供することにある。
【課題を解決するための手段】
【０００９】
以上の目的を達成するために、請求項１の油脂、汚泥の分解装置は、厨房等から排出される廃液中に含まれる油分を分離滞留させて、油分がそのまま外部に排出されるのを防ぐために排水路の途中に設けられた油脂、汚泥の分解装置であり、油分と油脂分解剤とを攪拌混合させて油分を分解させる撹拌装置を設け、油脂、汚泥の分解装置に分離滞留する油分と油脂分解剤とを撹拌装置で攪拌混合させて、油分を油脂分解剤で分解させて廃液とともに外部に排出して、油脂、汚泥の分解装置内で油分が廃液面上に積層して溜まるのを防ぐようにした油脂、汚泥の分解装置であり、
前記撹拌装置の駆動源が水中モータであって、かつ水中モータに取り付けた撹拌用プロペラを油脂、汚泥の分解装置内に配設した筒状カバー内に上昇流を生起させるようにして取り付けたことを特徴とするものである。
【００１０】
請求項２の油脂、汚泥の分解装置は、前記水中モータが、廃液中に完全に水没する高さに設置されており、その上で前記水中モータに取り付けた撹拌用プロペラが油脂、汚泥の分解装置内に配設した筒状カバー内に上昇流を生起させるようにしたことをも特徴とするものである。
【００１１】
請求項３の油脂、汚泥の分解装置は、前記筒状カバーが水中モータの周囲に取り付けられており、前記水中モータの下部において撹拌用プロペラの回転により廃液を強く旋回させるとともに、上昇流を生起させるようにしたことをも特徴とするものである。
【考案の効果】
【００１２】
以上の記載より明らかなように、請求項１の考案に係る油脂、汚泥の分解装置によれば、廃液を撹拌する撹拌装置の駆動源が水中モータであって、かつ水中モータに取り付けた撹拌用プロペラを油脂、汚泥の分解装置内に配設した筒状カバー内に上昇流を生起させるようにして取り付けたものであり、油脂、汚泥の分解装置内の対流の時間を大きくすることができて大量の廃液を処理することができ、しかも油分が積層して溜まるのを非常に効果的に防ぐことができる。
【００１３】
請求項２の油脂、汚泥の分解装置は、前記水中モータが、廃液中に完全に水没する高さに設置されており、その上で前記水中モータに取り付けた撹拌用プロペラが油脂、汚泥の分解装置内に配設した筒状カバー内に上昇流を生起させることができ、したがって油分が積層して溜まるのを非常に効果的に防ぐことができる。
【００１４】
請求項３の油脂、汚泥の分解装置は、前記筒状カバーが水中モータの周囲に取り付けられており、前記水中モータの下部において撹拌用プロペラの回転により廃液を強く旋回させるとともに、上昇流を生起させることにより廃液を全体として穏やかに旋回させることができ、トーラス状の自然に近い形で廃液を旋回させることができるため、大量の廃液を処理することができ、しかも油分が積層して溜まるのを非常に効果的に防ぐことができる。
【図面の簡単な説明】
【００１５】
【図１】この考案の油脂、汚泥の分解装置の実施の形態を示す概略全体配置図である。
【図２】（ａ）はこの考案の撹拌装置の詳細を示す撹拌用プロペラの概略斜視図、（ｂ）はその回転軸部分の概略斜視図である。
【図３】渦巻状撹拌用プロペラの例を示す概略平面図である。
【図４】渦巻状撹拌用プロペラの例を示す概略底面図である。
【図５】渦巻状撹拌用プロペラの例を示す概略側面図である。
【図６】渦巻状撹拌用プロペラの例を示す概略中央断面図である。
【図７】渦巻状撹拌用プロペラの例を示す上方から見た概略斜視図である。
【図８】渦巻状撹拌用プロペラの例を示す下方から見た概略斜視図である。
【図９】渦巻状撹拌用プロペラの例を示す上方から見た概略透視斜視図である。
【図１０】渦巻状撹拌用プロペラの例を示す上方から見た概略中央切断斜視図である。
【図１１】この考案の筒状カバーと撹拌装置との詳細を示す分解状態の概略斜視図である。
【図１２】組立状態の概略透視斜視図である。
【図１３】この考案の筒状カバーと撹拌装置の底面図である。
【図１４】この考案の油脂、汚泥の分解装置内の筒状カバーと撹拌装置の機能を示す概略斜視図である。
【考案を実施するための形態】
【００１６】
以下、図面に記載の実施の形態に基づいて、この考案の油脂、汚泥の分解装置をより具体的に説明する。
ここで、図１はこの考案の油脂、汚泥の分解装置の１実施例を示すものである。
図において、厨房等から排出される廃液中に含まれる油分を分離滞留させて、油分がそのまま外部に排出されるのを防ぐために油脂、汚泥の分解装置１１が排水路１２の途中、つまり上流側排水路１２ａと下流側排水路１２ｂとの間に設けられている。
この油脂、汚泥の分解装置１１内に配設した筒状カバー１５の内部に設けた撹拌装置２１にはポンプ起動用、および時間で油脂分解剤の点滴量を管理する液供給用の２つのタイマーを備えた供給器２６とブレーカー２７とが接続されている。
【００１７】
この厨房等の洗い場の流入口には上流側排水路１２ａの上流端が接続されており、油分を含む廃液が満たされている分解装置（グリスストラップ）１１内に点滴量を管理するタイマー付き供給器２６によって油脂分解剤が点滴で投入される。
【００１８】
なお、前記油脂、汚泥の分解装置１１の流入口１３には、上流側排水路１２ａを流れてくる廃液中に含まれる粗ゴミを除去する網目状の例えばバスケットからなる粗ゴミ除去フィルター１４が設けられていて、廃液中に含まれる粗ゴミはこの粗ゴミ除去フィルター１４によって除去される。
【００１９】
前記油脂、汚泥の分解装置１１内に配設した筒状カバー１５の内部には、厨房等から排出される廃液中に含まれる油分と油脂分解剤とを攪拌混合させて油分を分解させる、駆動源が水中モータ２３からなる撹拌装置２１（装置全体）が設けられている。
該撹拌装置２１は、廃液中に含まれる油分と油脂分解剤と直接攪拌混合させる攪拌用プロペラ２２と、攪拌用プロペラ２２が先端に取付けられた回転軸２４と、該回転軸２４の基端側が連結された水中モータ２３から主に構成される。
【００２０】
図２（ａ）に示すように、前記撹拌装置２１を構成する水中モータ２３部分は、前記油脂、汚泥の分解装置１１内に下向きに取付けられて支持されている。図２（ｂ）に示すように、前記下向きに取付けられている水中モータ２３は、その回転軸２４の先端側の攪拌用プロペラ２２とともに油脂、汚泥の分解装置１１の廃液面下に没していて、廃液を攪拌できるようになっている。
このように前記水中モータ２３を、廃液中に完全に水没する高さに設置し、その上で前記水中モータ２３下部に下向きに取り付けた渦巻状の撹拌用プロペラ２２が上昇流を伴うように廃液を旋回させるようにしたことにより、前記油脂、汚泥の分解装置１１内の廃液の水面の高さをより大きくすることができて非常に有益である。
【００２１】
前記撹拌装置２１の配線ケーブル２５の先端には、図１に示すようにポンプ起動用、および時間で点滴用を管理する液供給用の２つのタイマーを備えた供給器２６と、例えば１５Ａ用のブレーカー２７とが接続されている。そして前記撹拌装置２１の配線ケーブル２５は、例えば１００Ｖ、１０Ａの建屋電源に接続されている。
【００２２】
前記油脂、汚泥の分解装置１１の流入口１３とは反対側の油脂、汚泥の分解装置１１の端部には、流出部２８が取付けられている。この流出部２８には外部に廃液を排出する下流側排水路１２ｂの上流端が接続されており、前記油脂、汚泥の分解装置１１内の廃液はこの流出部２８から下流側排水路１２ｂを流下して外部の浄化槽や下水道などに排出される。また、２９は前記油脂、汚泥の分解装置１１の上面に取り付けた歩行板である。
【００２３】
図２に示すように、前記撹拌装置の駆動源の水中モータ２３には、回転軸２４の先端に攪拌用プロペラ２２が下向きに取付けられている。この攪拌用プロペラ２２は図３ないし図１０に示すように、複数枚（図では８枚）の中心から外側に向けて幅が広くなっている円弧状の羽根２２ａが渦巻状に形成されているのである。
このように、複数枚（図では８枚）の中心から外側に向けて幅が広くなっている円弧状の羽根２２ａが渦巻状に形成されているため、非常に強力な上昇流を得ることができる。
【００２４】
図１１、図１２および図１３には、前記水中モータ２３に取り付けた撹拌用プロペラ２２の外周端部に近接した状態で、筒状カバー１５を前記水中モータ２３に付設した状態を示している。
すなわち、前記油脂、汚泥の分解装置１１内に配設した筒状カバー１５の内部には、水中モータ２３およびその下部に渦巻状の撹拌用プロペラ２２が取り付けられており、前記撹拌用プロペラ２２の回転により上昇流を伴う形で廃液を強く旋回させるとともに、筒状カバー１５の外側においては、廃液を穏やかに旋回させることができるようにしたものである。
図において１６は前記筒状カバー１５の下部に形成した流入窓であり、前記筒状カバー１５の下部からより多くの廃液が流入できるようになっている。
以上のように構成したため、渦巻状の前記撹拌用プロペラ２２の回転により上昇流を伴う形で廃液を強く旋回させることとなり、図１２または図１４に示すように、筒状カバー１５の下部に形成した流入窓１６の中心部分において柱状の渦巻き１７が発生する。
【００２５】
以上のように、前記油脂、汚泥の分解装置１１内に配設した筒状カバー１５の内部に前記撹拌用プロペラ２２を取り付けておくことにより、前記渦巻状の撹拌用プロペラ２２の起こす上昇流を強く引き出すことができるとともに、前記筒状カバー１５の外側における旋回する水流をトーラス状のより自然に近い形で生起させることができる。
【００２６】
前記撹拌用プロペラ２２の撹拌作用によって微小状態に分解された油分は、廃液中に溶解して廃液面上に上昇することがなく、廃液中に溶解した微小状態の油分は、廃液とともに油脂、汚泥の分解装置１１の端部の下部に下向きに設けられた流出部２８から下流側排水路１２ｂに排出され、下流側排水路１２ｂから浄化槽や下水道、あるいは河川や海に排出される。このため、従来のように油分が油脂、汚泥の分解装置１１内の廃液面上に上昇して積層して溜まることがない。
【００２７】
さらに、廃液と共に浄化槽や下水道に排出された微小状態に分解された油分は、その分解された油分のサイズが浄化槽や下水道に自然に含まれる微生物が容易に分解処理できるサイズであるために、浄化槽や下水道に自然に含まれる微生物によって、容易に分解されて無害化されて、汚染の一因になることもない。
【産業上の利用可能性】
【００２８】
以上の記載より明らかなように本願考案の油脂、汚泥の分解装置は、厨房等から排水される廃液中に含まれる油分を分離滞留させて、油分がそのまま外部に排出されるのを防ぐために排水路の途中に設けられたグリストラップばかりでなく、種々の廃液の処理に用いられる油脂、汚泥の分解装置として適用することができることはいうまでもない。
【符号の説明】
【００２９】
１１  油脂、汚泥の分解装置
１２  排水路
１２ａ  上流側排水路
１２ｂ  下流側排水路
１３  流入口
１４  粗ゴミ除去フィルター
１５  筒状カバー
１６  流入窓
１７  柱状の渦巻き
２１  撹拌装置
２２  攪拌用プロペラ
２２ａ  円弧状の羽根
２３  水中モータ
２４  回転軸
２５  配線ケーブル
２６  供給器
２７  ブレーカ
２８  流出部
２９  歩行板
【図１】
0003230470.tif 000003
【図２】
0003230470.tif 000004
【図３】
0003230470.tif 000005
【図４】
0003230470.tif 000006
【図５】
0003230470.tif 000007
【図６】
0003230470.tif 000008
【図７】
0003230470.tif 000009
【図８】
0003230470.tif 000010
【図９】
0003230470.tif 000011
【図１０】
0003230470.tif 000012
【図１１】
0003230470.tif 000013
【図１２】
0003230470.tif 000014
【図１３】
0003230470.tif 000015
【図１４】
0003230470.tif 000016
【手続補正書】
【提出日】令和2年11月10日(2020.11.10)
【手続補正１】
【補正対象書類名】実用新案登録請求の範囲
【補正対象項目名】全文
【補正方法】変更
【補正の内容】
【実用新案登録請求の範囲】
【請求項１】
厨房等から排出される廃液中に含まれる油分を分離滞留させて、油分がそのまま外部に排出されるのを防ぐために排水路の途中に設けられた油脂、汚泥の分解装置であり、油分と油脂分解剤とを攪拌混合させて油分を分解させる撹拌装置を油脂、汚泥の分解装置内に設け、油脂、汚泥の分解装置に分離滞留する油分と油脂分解剤とを前記撹拌装置で攪拌混合させて、油分を油脂分解剤で分解させて廃液とともに外部に排出することにより、油脂、汚泥の分解装置内で油分が廃液面上に積層して溜まるのを防ぐようにした油脂、汚泥の分解装置であり、
油脂、汚泥の分解装置内に配設した筒状カバー内に前記撹拌装置を取り付け、前記撹拌装置の駆動源が水中モータであって、かつ水中モータの駆動軸に取り付けた撹拌用プロペラを油脂、汚泥の分解装置内に配設した前記筒状カバー内に上昇流を生起させるようにして取り付けたことを特徴とする油脂、汚泥の分解装置。
【請求項２】
前記水中モータが、廃液中に完全に水没する高さに設置されており、その上で前記水中モータに取り付けた撹拌用プロペラが油脂、汚泥の分解装置内に配設した筒状カバー内に上昇流を生起させるようにしたことを特徴とする請求項１に記載の油脂、汚泥の分解装置。
【請求項３】
前記筒状カバーが水中モータの周囲に取り付けられており、前記水中モータの下部において撹拌用プロペラの回転により廃液を強く旋回させるとともに、上昇流を生起させるようにしたことをも特徴とする請求項１または２に記載の油脂、汚泥の分解装置。